(57)【要約】      （修正有）【課題】クッション材をスキンで包む作業を比較的容易に行うことができるとともに、クッション材下面の微調整も行える管楽器用タンポを提供する。【解決手段】硬質な材料により形成される扁平な円筒体からなるリング２０と、前記リング内に嵌る円柱状のクッション材１０と、前記クッション材の上底面側に当接する薄い板状の上面材３０と、前記クッション材の下底面側に当接する皮又は合皮からなる下面材４０と、前記下面材、前記上面材、前記クッション材が嵌った前記リングの外面を包むシート状のスキン５０とからなる管楽器用タンポＸにおいて、少なくとも、前記下面材と前記クッション材と前記上面材を重ねた厚さは、前記リングの厚さ以上であるとともに、前記クッション材は前記リングの厚さを超えることなく前記リング内部に収まるように形成する。【選択図】図２
0003189056.tif 000002
【実用新案登録請求の範囲】
【請求項１】
硬質な材料により形成される扁平な円筒体からなるリングと、
前記リング内に嵌る円柱状のクッション材と、
前記クッション材の上底面側に当接する薄い板状の上面材と、
前記クッション材の下底面側に当接する皮又は合皮からなる下面材と、
前記下面材、前記上面材、前記クッション材が嵌った前記リングの外面を包むシート状のスキンと
からなり、
少なくとも、前記下面材と前記クッション材と前記上面材を重ねた厚さは、前記リングの厚さ以上であるとともに、前記クッション材は前記リングの厚さを超えることなく前記リング内に収まるものである
管楽器用タンポ。
【請求項２】
前記下面材は前記リングの穴とほぼ同じ外径を有し、前記下面材の下面と前記リング下端面とは同じ位置に存するものである請求項１に記載の管楽器用タンポ。
【請求項３】
前記下面材は前記リングの穴よりも大きく、前記下面材の上面が前記リング下端面に接するものである請求項１に記載の管楽器用タンポ。
【考案の詳細な説明】
【技術分野】
【０００１】
本考案は、管楽器のトーンホールを塞ぐタンポに関する。
【背景技術】
【０００２】
管楽器のトーンホールを塞ぐタンポは多くの場合、フェルトなどのクッション材を動物の腸皮などのスキンで包むことにより形成されている。
また、下記特許文献１、２にはクッション材を補強するためにクッション材の回りをリングで取り囲むものが示され、特許文献３にはクッション材を補強するために皿状の部材にクッション材を嵌めるものが示されている。
【先行技術文献】
【特許文献】
【０００３】
【特許文献１】特開2006-285123号公報
【特許文献２】特開2009-251083号公報
【特許文献３】実用新案登録第3136072号公報
【考案の概要】
【考案が解決しようとする課題】
【０００４】
ところで、柔らかいクッション材をスキンで包む作業は繊細であり、均等に平らに仕上げるには熟練を要する。従って、経験が浅い職人だと適正な商品を製作することが困難である一方、近年は職人が減少してきている。
これに対して上記特許文献に記載の考案のように、クッション材をリングで補強するとクッション材が撓みにくくなるので、スキンで包む作業が行いやすくなる。しかしながら、上記特許文献１、２に記載の考案はクッション材がリングから下面にはみ出しているのでやはりこの部分を適正に包む作業は依然として容易ではない。また、特許文献３に記載の考案はクッション材が皿状部材の内部に納まっているのでスキンで包むことは容易である。しかし、特許文献３に記載の考案は上面側が硬質な材料で完全に覆われているので、一度スキンで包んでしまうと下面の凹凸等に対して上面側から微調整を行うことができない。
本考案は、このような問題に鑑みて、クッション材をスキンで包む作業を比較的容易に行うことができるとともに、クッション材下面の微調整も行える管楽器用タンポを提供することを課題とする。
【課題を解決するための手段】
【０００５】
上記課題を解決するために、本考案は次のような構成を有する。
請求項１に記載の考案は、硬質な材料により形成される扁平な円筒体からなるリングと、  前記リング内に嵌る円柱状のクッション材と、前記クッション材の上底面側に当接する薄い板状の上面材と、前記クッション材の下底面側に当接する皮又は合皮からなる下面材と、前記下面材、前記上面材、前記クッション材が嵌った前記リングの外面を包むシート状のスキンとからなり、少なくとも、前記下面材と前記クッション材と前記上面材を重ねた厚さは、前記リングの厚さ以上であるとともに、前記クッション材は前記リングの厚さを超えることなく前記リング内に収まるものである管楽器用タンポ。
請求項２に記載の考案は、前記管楽器用タンポにおいて、前記下面材は前記リングの穴とほぼ同じ外径を有し、前記下面材の下面と前記リング端面とは同じ位置に存するものである。
請求項３に記載の考案は、請求項１に記載の管楽器用タンポにおいて、前記下面材は前記リングの穴よりも大きく、前記下面材の上面が前記リング端面に接するものである。
【考案の効果】
【０００６】
以上のような構成により、本考案は次のような効果を奏する。
請求項１に記載の考案は、柔らかいクッション材はリング内に収まっており、スキンはクッション材の外縁に当たらないので、比較的容易にタンポ下面をスキンで均等かつ平らに包むことができる。そして、クッション材の上面側は薄い板状の上面材が当接しているので、上面材を介してクッション材を押圧することで、クッション材に力を加えて、クッション材の下面を凹凸等を微調整することができる。
請求項２に記載の考案は、下面材もクッション材内部に納まることでスキンは硬いリング端面に当接するので、さらに容易にタンポ下面を均等かつ平らに包むことができる。
請求項３に記載の考案は、スキンが硬いリングの縁部に当接しないのでスキンを包む際にスキンを破れにくくすることができる。
【図面の簡単な説明】
【０００７】
【図１】実施形態に係る管楽器用タンポの分解斜視図である。
【図２】実施形態に係る管楽器タンポの縦断面図である。
【図３】（ａ）〜（ｃ）は変形例に係る管楽器用タンポの縦断面図である。
【考案を実施するための形態】
【０００８】
以下、本考案の実施の形態について、図面を参照しながら説明する。
図１に本実施形態に係る管楽器用タンポＸの分解斜視図を示し、図２に管楽器用タンポＸの縦断面図を示す。管楽器用タンポＸは、クッション材１０、リング２０、上面材３０、下面材４０、スキン５０から構成される。
クッション材１０はフェルトなどのクッション性のある素材で形成された扁平な円柱状の部材であり、中央にネジが通る貫通孔が形成されている。
リング２０はプラスチック、金属などの硬質な素材で形成された扁平な円筒状のリングであり、内径がクッション材１０の外径をほぼ等しく形成されている。リング２０の中央にはネジが通る貫通孔が形成されている。
上面材３０は紙などのある程度撓むことができる薄い板により形成された円盤状の部材であり、外径はリング２０の外径とほぼ等しくなるように形成されている。上面材３０の中央にはネジが通る貫通孔が形成されている。
下面材４０は合皮又は動物の皮により形成された円盤状の部材であり、外径はリング２０の内径とほぼ等しくなるように形成されている。図２に示すようにクッション材１０と下面材４０はリング２０の内部に収まるものであって、クッション材１０と下面材４０とを重ねた厚さはリング２０の厚さにほぼ等しい。下面材４０の中央にはネジが通る貫通孔が形成されている。
スキン５０は豚の腸、合成樹脂などから形成される薄い膜からなり、図２に示すようにクッション材１０と下面材４０とを収納したリング２０及びこれに重なる上面材３０の外面を包み接着剤で固定することで管楽器用タンポＸを一体に保持しするものであって、下面側がトーンホールへの密着面を形成するものである。
【０００９】
以上のような構成を有する管楽器用タンポＸは、製作に際して、リング２０内にクッション材１０、下面材４０を入れ、上面材３０をリング２０に重ねた状態で、スキン５０で下面側から包んで、スキン５０の縁部を接着剤で上面材３０に固定することにより形成される。この際、スキン５０の下面はリング２０の下面により規定されるので、習熟を要することなく、スキン５０下面をほぼ平らなで均一な状態に容易に仕上げることが可能となる。また、上面材３０が薄い素材により形成されているので、上面材３０の一部を押すことで下面の一部を下面側に突出させることができ、これにより下面の凹凸等を微調整することが可能となる。
【００１０】
なお、上記実施形態では、上面材３０はリング２０の外に存しているが、図３（ａ）の断面図に示す管楽器用タンポＹのように、上面材３０の外径を小さくするとともにクッション材１０の厚さを上面材３０の厚さ分小さくすることで、上面材３０もリング２０内部に収納するようにしてもよい。このようにすれば上面材３０は縁部から下面側に撓むことができるので、下面外周近傍まで凹凸等の微調整を行なうことができる。
また、上記実施形態では、下面材４０はリング２０の内部に収まっているが、リング２０の下面に裏面が当接するようにしてもよい。例えば図３（ｂ）に示す管楽器用タンポＺのように、下面材４０をリング２０の外径よりも大きな円盤として、型を用いて絞り、リング２０の下面から側周面を覆うようにしたり、図３（ｃ）に示す管楽器用タンポＷのように下面材４０をリング２０の下面とほぼ同じ外径を有する円盤としてリング２０下面に重ねたりすることが考えられる。なお、この際、クッション部材１０は下面材４０の厚さ分だけ厚くすることでリング内に隙間が空かないようにする。このようにしても、下面材４０の表面はリング２０下面により規定されるので、クッション材１０の下面端縁が直接スキン５０に当たる場合に比べて、スキン５０下面を平らに仕上げることが可能であり、またスキン５０がリング２０の下端縁に直接当たらないので、スキン５０で全体を包む際に、力を加えすぎてスキン５０が破れることを抑制することができる。
【符号の説明】
【００１１】
Ｘ、Ｙ、Ｚ、Ｗ  管楽器用タンポ
１０  クッション材
２０  リング
３０  上面材
４０  下面材
５０  スキン
【図１】
0003189056.tif 000003
【図２】
0003189056.tif 000004
【図３】
0003189056.tif 000005